(57)【要約】      （修正有）【課題】無線ＬＡＮ通信を主回線として使用するか、副回線として使用するかの選択に変更があった場合、起動時に接続履歴に基づいたアクセスポイントと自動接続することで、目的のアクセスポイントと接続できないことがない画像形成装置を提供する。【解決手段】アクセスポイントを介して無線ＬＡＮによる通信を行う画像形成装置において、無線ＬＡＮを主回線として使用するか、副回線として使用するかの選択に変更があった場合、アクセスポイントをユーザーに再設定させる。また、通信接続を成功したアクセスポイントとの接続履歴を管理している場合は、その接続履歴を削除する。【選択図】図５
2019029689.tif 000002
【特許請求の範囲】
【請求項１】
アクセスポイントを介して無線ＬＡＮによる通信を行う画像形成装置であって、
前記画像形成装置における前記無線ＬＡＮの役割をユーザに設定させる役割設定手段と、
前記無線ＬＡＮの役割に対応するアクセスポイントの設定を制御する制御手段とを備え、
前記制御手段は、前記無線ＬＡＮの役割が変更された場合、前記アクセスポイントをユーザに再設定させ、
前記無線ＬＡＮの役割は、前記無線ＬＡＮを主回線として使用するか、副回線として使用するかを示すことを特徴とする画像形成装置。
【請求項２】
前記画像形成装置が通信接続を成功したアクセスポイントとの接続履歴を管理し、
前記無線ＬＡＮの役割が変更された場合、前記接続履歴を削除することを特徴とする請求項１の画像形成装置。
【請求項３】
前記接続履歴では、前記画像形成装置が通信接続を成功したアクセスポイントを示す接続先情報が前記無線ＬＡＮの役割に対応付けされ、
前記無線ＬＡＮの役割に対応付けされた接続先情報が示すアクセスポイントと通信接続を行うことを特徴とする請求項２記載の画像形成装置。
【請求項４】
前記無線ＬＡＮの役割が変更された場合、前記アクセスポイントの再設定を促すメッセージを表示することを特徴とする請求項１乃至３のいずれか１項に記載の画像形成装置。
【請求項５】
前記ユーザにアクセスポイントを設定させる設定手段が表示され、
前記設定手段では、前記無線ＬＡＮの役割において利用可能な認証方式に対応するアクセスポイントのみが選択可能な状態で表示されることを特徴とする請求項１乃至４のいずれか1項に記載の画像形成装置。
【請求項６】
前記設定手段では、前記無線ＬＡＮの役割において利用不可能な認証方式に対応するアクセスポイントが選択不可能な状態で表示されることを特徴とする請求項５記載の画像形成装置。
【請求項７】
前記設定手段では、前記無線ＬＡＮの役割において利用不可能な認証方式に対応するアクセスポイントが表示されないことを特徴とする請求項５記載の画像形成装置。
【請求項８】
アクセスポイントを介して無線ＬＡＮによる通信を行う画像形成装置の制御方法であって、
前記画像形成装置における前記無線ＬＡＮの役割をユーザに設定させる役割設定ステップと、
前記無線ＬＡＮの役割に対応するアクセスポイントの設定を制御する制御ステップとを有し、
前記制御ステップは、前記無線ＬＡＮの役割が変更された場合、前記アクセスポイントをユーザに再設定させ、
前記無線ＬＡＮの役割は、前記無線ＬＡＮを主回線として使用するか、副回線として使用するかを示すことを特徴とする画像形成装置の制御方法。
【請求項９】
アクセスポイントを介して無線ＬＡＮによる通信を行う画像形成装置の制御方法をコンピュータに実行させるプログラムであって、
前記画像形成装置の制御方法は、
前記画像形成装置における前記無線ＬＡＮの役割をユーザに設定させる役割設定ステップと、
前記無線ＬＡＮの役割に対応するアクセスポイントの設定を制御する制御ステップとを有し、
前記制御ステップは、前記無線ＬＡＮの役割が変更された場合、前記アクセスポイントをユーザに再設定させ、
前記無線ＬＡＮの役割は、前記無線ＬＡＮを主回線として使用するか、副回線として使用するかを示すことを特徴とするプログラム。
【発明の詳細な説明】
【技術分野】
【０００１】
本発明は、画像形成装置及びその制御方法、並びにプログラムに関する。
【背景技術】
【０００２】
無線ＬＡＮ通信を行う画像形成装置としてのＭＦＰが知られている。ＭＦＰは、無線ＬＡＮ通信を行う場合、上記ＭＦＰが通信接続可能なアクセスポイントを検索し、検索して得られた複数の選択候補の中から所望のアクセスポイントをユーザに設定させる。ＭＦＰは設定されたアクセスポイントと通信接続を成功すると、上記アクセスポイントとの接続履歴を管理する。ＭＦＰは、例えば、ＭＦＰの起動時に上記接続履歴に基づいて上記アクセスポイントに通信接続する。これにより、ＭＦＰでは、アクセスポイントの設定をユーザに何度も行わせることなく、過去に通信接続を成功したアクセスポイントに容易に通信接続することができる。
【０００３】
また、無線ＬＡＮ通信の他に、有線ＬＡＮ通信を行うことができるＭＦＰも開発されている。このＭＦＰには、有線ＬＡＮ通信を行うための通信インタフェース及び無線ＬＡＮ通信を行うための通信インタフェースの両方が設けられる（例えば、特許文献１参照）。複数の通信インタフェースを備えるＭＦＰにおいて、主回線のみの上述した単一回線による通信機能の他に、用途に応じてネットワークを分けて利用可能な複数回線による通信機能を更に設けることが検討されている。複数回線による通信では、例えば、有線ＬＡＮが主回線として使用され、有線ＬＡＮと異なるネットワークである無線ＬＡＮが副回線として使用される。このＭＦＰでは、単一回線による通信機能及び複数回線による通信機能の切り替えがユーザによって行われ、これにより、無線ＬＡＮの役割が変更されることがある。例えば、単一回線による通信機能では主回線として使用されていた無線ＬＡＮの役割が、複数回線による通信機能において副回線に変更される。このとき、ＭＦＰでは、通信接続するアクセスポイントを、主回線のネットワークに接続するアクセスポイントから、副回線のネットワークに接続するアクセスポイントに切り替える必要がある。
【先行技術文献】
【特許文献】
【０００４】
【特許文献１】特開２００３−３１９４６１号公報
【発明の概要】
【発明が解決しようとする課題】
【０００５】
しかしながら、従来のＭＦＰでは、無線ＬＡＮの役割が変更された場合、接続履歴に基づいて過去に通信接続を成功したアクセスポイントと自動的に通信接続してしまい、無線ＬＡＮの役割に対応するアクセスポイントと通信接続することができない。
【０００６】
本発明の目的は、無線ＬＡＮの役割に対応する適切なアクセスポイントと通信接続することができる画像形成装置及びその制御方法、並びにプログラムを提供することにある。
【課題を解決するための手段】
【０００７】
上記目的を達成するために、本発明の画像形成装置は、アクセスポイントを介して無線ＬＡＮによる通信を行う画像形成装置であって、前記画像形成装置における前記無線ＬＡＮの役割をユーザに設定させる役割設定手段と、前記無線ＬＡＮの役割に対応するアクセスポイントの設定を制御する制御手段とを備え、前記制御手段は、前記無線ＬＡＮの役割が変更された場合、前記アクセスポイントをユーザに再設定させ、前記無線ＬＡＮの役割は、前記無線ＬＡＮを主回線として使用するか、副回線として使用するかを示すことを特徴とする。
【発明の効果】
【０００８】
本発明によれば、無線ＬＡＮの役割に対応する適切なアクセスポイントと通信接続することができる。
【図面の簡単な説明】
【０００９】
【図１】本発明の実施の形態に係る画像形成装置としてのＭＦＰによる通信を説明するためのネットワーク図である。
【図２】図１のＭＦＰのハードウェアの構成を概略的に示すブロック図である。
【図３】図２の操作パネルに表示されるインタフェース選択画面の一例を示す図である。
【図４】図１のＭＦＰのソフトウェアの構成を概略的に示すブロック図である。
【図５】図１のＭＦＰによって実行される通信インタフェース変更処理の手順を示すフローチャートである。
【図６】図２の操作パネルに表示されるメッセージの一例を示す図である。
【図７】図１のＭＦＰによって実行される選択画面表示処理の手順を示すフローチャートである。
【図８】図２の操作パネルに表示されるアクセスポイント選択画面の一例を示す図である。
【図９】図１のＭＦＰによって実行される無線ＬＡＮ設定画面表示処理の手順を示すフローチャートである。
【図１０】図２の操作パネルに表示される設定画面の一例を示す図である。
【図１１】図１のＭＦＰによって実行される接続履歴登録処理の手順を示すフローチャートである。
【図１２】図１のＭＦＰによって管理される接続履歴の一例を示す図である。
【図１３】図１のＭＦＰによって実行される接続処理の手順を示すフローチャートである。
【発明を実施するための形態】
【００１０】
以下、本発明の実施の形態を図面を参照しながら詳述する。
【００１１】
図１は、本発明の実施の形態に係る画像形成装置としてのＭＦＰ１１による通信を説明するためのネットワーク図である。
【００１２】
図１において、ＭＦＰ１１はアクセスポイント１２を介してネットワーク１３に参加して無線ＬＡＮを構成し、通信接続を成功したアクセスポイントを管理するための接続履歴にアクセスポイント１２のＳＳＩＤ等の接続先情報を登録する。接続履歴は後述するＨＤＤ２０５に格納されている。本実施の形態では、ＭＦＰ１１は、該ＭＦＰ１１の起動時等に上記接続履歴からアクセスポイント１２のＳＳＩＤを取得し、取得したＳＳＩＤを自動で設定する。これにより、ＭＦＰ１１では、アクセスポイント１２との通信接続の設定をユーザに何度も行わせることなく、アクセスポイント１２と容易に再接続可能となる。また、ＭＦＰ１１はＬＡＮケーブル（不図示）によって接続されたＨＵＢ１４を介してネットワーク１３に参加して有線ＬＡＮを構成する。ネットワーク１３はＭＦＰ１１の主回線として使用される。ネットワーク１３はゲートウェイ１５を介してインターネット１６に接続され、インターネット１６を利用可能な通信装置であれば参加可能である。このため、ＭＦＰ１１は、主回線において、インターネット１６を利用可能な通信装置を含む多数の装置とネットワーク１３による通信を行うことができる。ＭＦＰ１１では主回線として無線ＬＡＮ及び有線ＬＡＮの何れを使用するかをユーザが設定可能である。
【００１３】
また、ＭＦＰ１１は主回線と同時通信可能な副回線を更に備える。副回線は、主回線との同時通信を可能とするために、主回線より機能が制限される。ＭＦＰ１１では、有線ＬＡＮ及び無線ＬＡＮの何れか一方を主回線として使用し、他方を副回線として使用する。例えば、有線ＬＡＮを主回線として使用し、無線ＬＡＮを副回線として使用する場合、ＭＦＰ１１はアクセスポイント１７を介してネットワーク１８に参加して副回線としての無線ＬＡＮを構成する。このとき、ＭＦＰ１１は、上記接続履歴にアクセスポイント１７のＳＳＩＤ等の接続先情報を登録する。ネットワーク１８はインターネット１６に接続されておらず、特定の通信装置のみで構成される。すなわち、本実施の形態では、無線ＬＡＮの役割が主回線及び副回線の何れかによって、通信接続先のアクセスポイントが異なる。
【００１４】
図２は、図１のＭＦＰ１１のハードウェアの構成を概略的に示すブロック図である。
【００１５】
図２において、ＭＦＰ１１は、制御部２０１、印刷部２０７、読み取り部２０９、及び操作パネル２１１を備える。制御部２０１は印刷部２０７、読み取り部２０９、及び操作パネル２１１と接続されている。制御部２０１は、ＣＰＵ２０２、ＲＡＭ２０３、ＲＯＭ２０４、ＨＤＤ２０５、プリンタＩ／Ｆ２０６、スキャナＩ／Ｆ２０８、操作パネルＩ／Ｆ２１０、無線ＬＡＮＩ／Ｆ２１２、有線ＬＡＮＩ／Ｆ２１３、及びＦＡＸＩ／Ｆ２１４を備える。ＣＰＵ２０２、ＲＡＭ２０３、ＲＯＭ２０４、ＨＤＤ２０５、プリンタＩ／Ｆ２０６、スキャナＩ／Ｆ２０８、操作パネルＩ／Ｆ２１０、無線ＬＡＮＩ／Ｆ２１２、有線ＬＡＮＩ／Ｆ２１３、及びＦＡＸＩ／Ｆ２１４はバス２１５を介して互いに接続されている。
【００１６】
制御部２０１はＭＦＰ１１全体を統括的に制御する。ＣＰＵ２０２はＭＦＰ１１における各制御を行うためのプログラムをＲＯＭ２０４からＲＡＭ２０３に読み出し、読み出したプログラムを実行する。ＲＡＭ２０３はＣＰＵ２０２の主メモリとして、また、各データの一時格納領域として用いられる。なお、本実施の形態では、一例として、制御部２０１にＣＰＵ２０２及びＲＡＭ２０３が１つずつ設けられる構成について説明するが、制御部２０１に設けられるＣＰＵ２０２及びＲＡＭ２０３の各々の個数は１つに限られない。例えば、制御部２０１に複数のＣＰＵ２０２及び複数のＲＯＭ２０４が設けられ、複数のＣＰＵ２０２及び複数のＲＯＭ２０４が協働して各制御を行っても良い。ＲＯＭ２０４はＣＰＵ２０２によって実行されるプログラムや設定値等を格納する。ＨＤＤ２０５はプログラム及び各制御で用いられるデータ等を格納する。
【００１７】
プリンタＩ／Ｆ２０６は印刷部２０７及び制御部２０１を接続する。印刷部２０７はプリンタＩ／Ｆ２０６を介して入力された印刷データに基づいて用紙に印刷を行う。スキャナＩ／Ｆ２０８は読み取り部２０９及び制御部２０１を接続する。読み取り部２０９は載置された原稿を読み取り、読み取った画像情報に基づいて画像データを生成する。読み取り部２０９が生成した画像データは印刷部２０７によって印刷される、若しくはＨＤＤ２０５に格納される。また、上記画像データはＦＡＸＩ／Ｆ２１４、無線ＬＡＮＩ／Ｆ２１２、及び有線ＬＡＮＩ／Ｆ２１３を介して通信装置に送信される。操作パネルＩ／Ｆ２１０は操作パネル２１１及び制御部２０１を接続する。操作パネル２１１はタッチパネル式のディスプレイを備える。操作パネル２１１は、ＭＦＰ１１の各設定を行うための設定画面等を表示し、また、ユーザによって入力された指示を受け付ける。本実施の形態では、例えば、操作パネル２１１に図３のインタフェース選択画面３００（役割設定手段）が表示される。
【００１８】
インタフェース選択画面３００はＭＦＰ１１のインフラ設定を行うための設定画面である。有線のみ３０１がオンに設定されると、ＭＦＰ１１では有線ＬＡＮが主回線として使用される。無線のみ３０２がオンに設定されると、ＭＦＰ１１では無線ＬＡＮが主回線として使用され、ＭＦＰ１１はアクセスポイント１２を介して無線ＬＡＮ通信を行う。通信接続有線（主回線）＋無線（副回線）３０３がオンに設定されると、ＭＦＰ１１では有線ＬＡＮが主回線として使用される。また、ＭＦＰ１１では無線ＬＡＮが副回線として使用され、ＭＦＰ１１はアクセスポイント１７を介して無線ＬＡＮ通信を行う。インタフェース選択画面３００では、有線のみ３０１、無線のみ３０２、及び有線（主回線）＋無線（副回線）３０３の３つの選択肢の中から何れか１つのみがオンに設定可能である。ＯＫボタン３０４が選択されると、インタフェース選択画面３００における設定値がＨＤＤ２０５等に格納される。
【００１９】
無線ＬＡＮＩ／Ｆ２１２はインタフェース選択画面３００の設定に基づいてアクセスポイント１２，１７の何れか一方を介して無線ＬＡＮ通信を行う。有線ＬＡＮＩ／Ｆ２１３はＭＦＰ１１及びＨＵＢ１４間を繋ぐＬＡＮケーブル（不図示）を経由する有線ＬＡＮ通信を行う。ＦＡＸ／ＩＦ２１４は図示しない電話回線網を介して外部装置とファクシミリ通信を行う。
【００２０】
図４は、図１のＭＦＰ１１のソフトウェアの構成を概略的に示すブロック図である。
【００２１】
ＭＦＰ１１は、図４の無線ＬＡＮクライアントモジュール４０１、接続履歴管理モジュール４０２、通信インタフェース管理モジュール４０３、及びＵＩ制御モジュール４０４を備える。上述した各モジュールはＣＰＵ２０２がＲＯＭ２０４に格納されたプログラムを実行することによって行われる。
【００２２】
無線ＬＡＮクライアントモジュール４０１は無線ＬＡＮクライアント機能を提供し、アクセスポイント１２，１７と通信接続等を行う。接続履歴管理モジュール４０２は上記接続管理を管理する。通信インタフェース管理モジュール４０３は無線ＬＡＮＩ／Ｆ２１２や有線ＬＡＮＩ／Ｆ２１３等の通信インタフェースの設定を管理する。例えば、通信インタフェース管理モジュール４０３は、ＭＦＰ１１における無線ＬＡＮの役割を示す情報、具体的に、無線ＬＡＮを主回線及び副回線の何れで使用するかに関する情報や、設定された役割の無線ＬＡＮにおいて利用可能な無線通信の認証方式を示す情報等を管理する。ＵＩ制御モジュール４０４は操作パネルにおける表示制御や、操作パネルにおいて入力された情報の受け付け制御等の操作パネルに関する制御を行う。
【００２３】
図５は、図１のＭＦＰ１１によって実行される通信インタフェース変更処理の手順を示すフローチャートである。
【００２４】
図５の処理は、ＣＰＵ２０２がＲＯＭ２０４に格納されたプログラムを実行することによって行われ、ユーザによってインタフェース選択画面３００が操作された際に実行される。図５の処理では、アクセスポイント１２，１７の何れかを示す接続先情報が接続履歴に登録されていることを前提とする。
【００２５】
ＭＦＰ１１では、例えば、「無線のみ３０２」がオンに設定され、アクセスポイント１２と通信接続が成功すると、アクセスポイント１２を示す接続先情報が接続履歴に登録される。この後、アクセスポイント１２との通信接続が一旦切断され、ＭＦＰ１１における無線ＬＡＮの役割が変更、具体的に、インタフェース選択画面３００において、「無線のみ３０２」から「有線（主回線）＋無線（副回線）３０３」にオンの設定が切り替わると、ＭＦＰ１１では、無線ＬＡＮ通信を行うために、接続履歴に登録された接続先情報が示すアクセスポイントを設定する。このとき、ＭＦＰ１１では、無線ＬＡＮを副回線として使用するためにアクセスポイント１７の接続先情報を設定する必要があるが、従来では、接続履歴に登録されたアクセスポイント１２を示す接続先情報が自動的に設定されてしまう。すなわち、従来では、ＭＦＰ１１における無線ＬＡＮの役割が変更されると、変更後の役割に対応するアクセスポイントと通信接続することができない。
【００２６】
これに対応して、本実施の形態では、ＭＦＰ１１における無線ＬＡＮの役割が変更された場合、アクセスポイントをユーザに再設定させる。
【００２７】
図５において、まず、ＣＰＵ２０２はインタフェース選択画面３００において無線ＬＡＮの役割が変更されたか否かを判別する（ステップＳ５０１）。ステップＳ５０１では、インタフェース選択画面３００において、無線のみ３０２から有線（主回線）＋無線（副回線）３０３に設定を切り替える操作、又は、有線（主回線）＋無線（副回線）３０３から無線のみ３０２に設定を切り替える操作が行われた場合、ＣＰＵ２０２は無線ＬＡＮの役割が変更されたと判別する。一方、上述した操作が行われない場合、ＣＰＵ２０２は無線ＬＡＮの役割が変更されないと判別する。
【００２８】
ステップＳ５０１の判別の結果、無線ＬＡＮの役割が変更されないとき、ＣＰＵ２０２は本処理を終了する。一方、ステップＳ５０１の判別の結果、無線ＬＡＮの役割が変更されたとき、ＣＰＵ２０２は接続先情報が登録された接続履歴をＨＤＤ２０５から削除する（ステップＳ５０２）。次いで、ＣＰＵ２０２はアクセスポイントの再設定を促す図６のメッセージ６０１を操作パネル２１１に表示する（ステップＳ５０３）。メッセージ６０１を確認したユーザは、例えば、後述する図８のアクセスポイント選択画面８００を操作してアクセスポイントの再設定を行う。次いで、ＣＰＵ２０２は、ユーザによって再設定されたアクセスポイントを示す接続先情報をＨＤＤ２０５等に格納し（ステップＳ５０４）、本処理を終了する。
【００２９】
上述した図５の処理によれば、無線ＬＡＮの役割が変更された場合、アクセスポイントの再設定をユーザに行わせる。すなわち、接続履歴に基づいて過去に通信接続を成功したアクセスポイントのＳＳＩＤが自動的に設定されるのではなく、変更された役割に対応する適切なアクセスポイントのＳＳＩＤがユーザによって設定される。これにより、無線ＬＡＮの役割に対応する適切なアクセスポイントと通信接続することができる。
【００３０】
また、上述した図５の処理では、無線ＬＡＮの役割が変更された場合、通信接続を成功したアクセスポイントとの接続履歴が削除される。これにより、接続履歴に基づいて無線ＬＡＮの役割に対応しない不適切なアクセスポイントと自動的に通信接続されることを確実に防止することができる。
【００３１】
さらに、上述した図５の処理では、無線ＬＡＮの役割が変更された場合、アクセスポイントの再設定を促すメッセージ６０１が表示されるので、アクセスポイントの再設定が必要であることをユーザに知らせることができる。
【００３２】
図７は、図１のＭＦＰ１１によって実行される選択画面表示処理の手順を示すフローチャートである。
【００３３】
図７の処理も、ＣＰＵ２０２がＲＯＭ２０４に格納されたプログラムを実行することによって行われる。また、図７の処理は、ＭＦＰ１１において、該ＭＦＰ１１が利用可能なアクセスポイントの一覧情報の表示の指示が、メッセージ６０１を確認したユーザ等によって行われた際に実行される。
【００３４】
本実施の形態では、主回線は利用可能な機能及び認証方式が制限されない一方、副回線は、主回線と同時通信を可能とするために、利用可能な機能及び認証方式が制限される。一方、従来のＭＦＰでは、ユーザに主回線及び副回線の各アクセスポイントを設定させる際に、ＭＦＰ１１が通信接続可能な位置に配置されたアクセスポイントの中から選択候補となるアクセスポイントを検索するアクセスポイント検索処理が行われる。アクセスポイント検索処理では、主回線及び副回線の何れのアクセスポイントの設定を行う場合であっても、ＭＦＰ１１において利用可能な全ての認証方式、つまり、主回線において利用可能な認証方式に対応するアクセスポイントが検索される。このため、従来のＭＦＰでは、ユーザに副回線のアクセスポイントの設定を行わせる際に、副回線において利用不可能なアクセスポイントまでもが選択候補に挙げられる。その結果、例えば、図５の処理によってアクセスポイントの再設定をユーザに促しても、選択候補の中から無線ＬＡＮの役割に対応する適切なアクセスポイントをユーザに確実に選択させることができない。
【００３５】
これに対応して、本実施の形態では、無線ＬＡＮの役割において利用可能な認証方式に対応しないアクセスポイントが選択不可能な状態で操作パネル２１１に表示される。
【００３６】
図７において、まず、ＣＰＵ２０２は、ＭＦＰ１１が通信接続可能なアクセスポイントを検索し、該当するアクセスポイントのリスト情報を取得する（ステップＳ７０１）。上記リスト情報には、各アクセスポイントのＳＳＩＤや電波強度、各アクセスポイントが対応する認証方式、及び各アクセスポイントが検知された電波帯域等が含まれる。次いで、ＣＰＵ２０２は主回線及び副回線の何れかを示す無線ＬＡＮの役割を取得し（ステップＳ７０２）、取得した役割の無線ＬＡＮにおいて利用可能な認証方式を取得する（ステップＳ７０３）。本実施の形態では、一例として、役割が主回線である無線ＬＡＮでは、ＷＰＡ−ＰＳＫ、ＷＥＰ、及びＷＰＡ−ＥＡＰの認証方式が利用可能であることとする。これに対し、役割が副回線である無線ＬＡＮでは、主回線において利用可能な一部の機能、例えば、ＩＥＥＥ８０２．１ｘ機能が利用できず、また、ＷＰＡ−ＰＳＫ、ＷＥＰ、及びＷＰＡ−ＥＡＰのうち、上記ＩＥＥＥ８０２．１ｘ機能に関連するＷＰＡ−ＥＡＰの認証方式が利用できない。
【００３７】
次いで、ＣＰＵ２０２は、ステップＳ７０１において取得したリスト情報における各アクセスポイントに対し、取得した役割の無線ＬＡＮにおいて利用可能な認証方式に対応するアクセスポイントであるか否かを判別する（ステップＳ７０４）。例えば、取得した役割が副回線である場合、ステップＳ７０４では、上記リスト情報における各アクセスポイントに対し、副回線の無線ＬＡＮにおいて利用可能な認証方式であるＷＰＡ−ＰＳＫ及びＷＥＰに対応するアクセスポイントであるか否かが判別される。
【００３８】
ステップＳ７０４の判別の結果、取得した役割の無線ＬＡＮにおいて利用可能な認証方式に対応するアクセスポイントであるとき、ＣＰＵ２０２はこのアクセスポイントを図８のアクセスポイント選択画面８００において選択可能な状態で表示する（ステップＳ７０５）。アクセスポイント選択画面８００は操作パネル２１１に表示され、複数の選択候補の中から所望のアクセスポイントをユーザに選択させるための操作画面である。ステップＳ７０５では、例えば、上記アクセスポイントを選択するためのチェックボックス８０１がアクセスポイント選択画面８００に表示される。
【００３９】
次いで、ＣＰＵ２０２はステップＳ７０２において取得したリスト情報において、未確認のアクセスポイントが存在するか否かを判別する（ステップＳ７０６）。
【００４０】
ステップＳ７０６の判別の結果、未確認のアクセスポイントが存在するとき、ＣＰＵ２０２はステップＳ７０４の処理に戻る。一方、ステップＳ７０６の判別の結果、未確認のアクセスポイントが存在しないとき、ＣＰＵ２０２は本処理を終了する。
【００４１】
ステップＳ７０４の判別の結果、取得した役割の無線ＬＡＮにおいて利用可能な認証方式に対応しないアクセスポイントであるとき、ＣＰＵ２０２はこのアクセスポイントをアクセスポイント選択画面８００において選択不可能な状態で表示する（ステップＳ７０７）。ステップＳ７０７では、例えば、上記アクセスポイントを選択するためのチェックボックスがアクセスポイント選択画面８００に表示されない。その後、ＣＰＵ２０２は本処理を終了する。
【００４２】
上述した図７の処理では、アクセスポイント選択画面８００において、無線ＬＡＮの役割において利用可能な認証方式に対応するアクセスポイントのみが選択可能な状態で表示される。また、無線ＬＡＮの役割において利用不可能な認証方式に対応するアクセスポイントを示す選択肢が選択不可能な状態で表示される。これにより、アクセスポイント選択画面８００において、選択候補の中から無線ＬＡＮの役割に対応する適切なアクセスポイントをユーザに確実に選択させることができる。
【００４３】
次に、アクセスポイントのＳＳＩＤ等をユーザが直接入力する場合について説明する。
【００４４】
図９は、図１のＭＦＰ１１によって実行される無線ＬＡＮ設定画面表示処理の手順を示すフローチャートである。
【００４５】
図９の処理も、ＣＰＵ２０２がＲＯＭ２０４に格納されたプログラムを実行することによって行われる。また、図９の処理は、ＭＦＰ１１において、アクセスポイントのＳＳＩＤ等を直接入力するための後述する図１０の設定画面１０００の表示の指示が、メッセージ６０１を確認したユーザ等によって行われた際に実行される。
【００４６】
本実施の形態では、アクセスポイントのＳＳＩＤ等を直接入力するための後述する図１０の設定画面１０００において、使用する認証方式がユーザによって設定される。従来のＭＦＰでは、主回線及び副回線の何れのアクセスポイントの設定を行う場合であっても、設定画面１０００において、ＭＦＰ１１が利用可能な全ての認証方式が選択可能となる。このため、従来のＭＦＰでは、ユーザが副回線のアクセスポイントのＳＳＩＤを直接設定する際に、副回線において利用不可能な認証方式を選択してしまうという問題が生じる。
【００４７】
これに対応して、本実施の形態では、無線ＬＡＮの役割において利用不可能な認証方式を選択できないように制御する。
【００４８】
図９の処理において、ＣＰＵ２０２はＭＦＰ１１が利用可能な全ての認証方式を取得する（ステップＳ９０１）。次いで、ＣＰＵ２０２は無線ＬＡＮの役割を取得し（ステップＳ９０２）、取得した役割の無線ＬＡＮにおいて利用可能な認証方式を取得する（ステップＳ９０３）。次いで、ＣＰＵ２０２は、ステップＳ９０１で取得した認証方式の中に、取得した役割の無線ＬＡＮにおいて利用不可能な認証方式、つまり、有効でない認証方式が含まれているか否かを判別する（ステップＳ９０４）。
【００４９】
ステップＳ９０４の判別の結果、上記有効でない認証方式が含まれているとき、ＣＰＵ２０２は上記有効でない認証方式を選択できないように制御した図１０の設定画面１０００を操作パネル２１１に表示する（ステップＳ９０５）。設定画面１０００では、上記有効でない認証方式、例えば、「ＷＰＡ／ＷＰＡ２−Ｅｎｔｅｒｐｒｉｓｅ」を示す設定ボタン１００１が選択できないようにグレーアウトで表示される。その後、ＣＰＵ２０２は本処理を終了する。
【００５０】
ステップＳ９０４の判別の結果、上記有効でない認証方式が含まれていないとき、ＣＰＵ２０２はＭＦＰ１１が利用可能な全ての認証方式に対応する設定ボタンを選択可能な状態で設定画面１０００を表示し、本処理を終了する。
【００５１】
上述した図９の処理では、無線ＬＡＮの役割において利用不可能な認証方式を選択できないように制御した設定画面１０００が表示される。これにより、設定画面１０００において、無線ＬＡＮの役割に対応しない認証方式が設定されるのを防止することができる。
【００５２】
以上、本発明について、上述した実施の形態を用いて説明したが、本発明は上述した実施の形態に限定されるものではない。例えば、ステップＳ７０７では、上記アクセスポイントを選択できないように制御できれば良く、例えば、上記アクセスポイントをアクセスポイント選択画面８００に表示しなくても良い。
【００５３】
また、上述した実施の形態では、ステップＳ９０５では、無線ＬＡＮの役割において利用不可能な認証方式を選択できないように制御できれば良く、例えば、上記認証方式の設定ボタンを設定画面１０００に表示しなくても良い。
【００５４】
さらに、上述した実施の形態では、接続先情報及び該接続先情報に対応付けされた無線ＬＡＮの役割を示す情報を接続履歴に登録しても良い。
【００５５】
図１１は、図１のＭＦＰ１１によって実行される接続履歴登録処理の手順を示すフローチャートである。
【００５６】
図１１の処理も、ＣＰＵ２０２がＲＯＭ２０４に格納されたプログラムを実行することによって行われる。また、図１１の処理は、ＭＦＰ１１がアクセスポイントと通信接続を成功した際に実行される。
【００５７】
図１１において、ＣＰＵ２０２は設定されたアクセスポイント（以下、「設定アクセスポイント」）と通信接続処理を行う（ステップＳ１１０１）。次いで、ＣＰＵ２０２は設定アクセスポイントとの通信接続を成功したか否かを判別する（ステップＳ１１０２）。
【００５８】
ステップＳ１１０２の判別の結果、設定アクセスポイントとの通信接続を失敗したとき、ＣＰＵ２０２は本処理を終了する。一方、ステップＳ１１０２の判別の結果、設定アクセスポイントとの通信接続を成功したとき、ＣＰＵ２０２は無線ＬＡＮの役割を取得する（ステップＳ１１０３）。次いで、ＣＰＵ２０２は、取得した役割と設定アクセスポイントを示す接続先情報とを対応付けして図１２の接続履歴１２００に登録する（ステップＳ１１０４）。接続履歴１２００には、ＭＦＰ１１が通信接続を成功したアクセスポイントを示すＳＳＩＤ、上記アクセスポイントが対応する認証方式、及び上記アクセスポイントと通信接続した際の無線ＬＡＮの役割を示す情報が含まれる。次いで、ＣＰＵ２０２は本処理を終了する。
【００５９】
図１３は、図１のＭＦＰ１１によって実行されるアクセスポイント接続処理の手順を示すフローチャートである。
【００６０】
図１３の処理も、ＣＰＵ２０２がＲＯＭ２０４に格納されたプログラムを実行することによって行われる。また、図１３の処理は、ＭＦＰ１１の起動時やＭＦＰ１１における無線ＬＡＮの役割が変更された際に実行される。図１３の処理では、無線ＬＡＮの役割及び該無線ＬＡＮの役割に対応するアクセスポイントを示す接続先情報が対応付けされて接続履歴１２００に既に登録されていることを前提とする。
【００６１】
図１３の処理では、ＣＰＵ２０２は現時点で設定されている無線ＬＡＮの役割を取得する（ステップＳ１３０１）。例えば、無線ＬＡＮの役割が主回線から副回線に変更されたことに応じて図１３の処理が開始された場合、ステップＳ１３０１では、ＣＰＵ２０２は無線ＬＡＮの役割として「副回線」を取得する。次いで、ＣＰＵ２０２は接続履歴１２００を取得し（ステップＳ１３０２）、取得した接続履歴１２００の中に通信接続可能なアクセスポイントが存在するか否かを判別する（ステップＳ１３０３）。
【００６２】
ステップＳ１３０３の判別の結果、接続履歴１２００の中に通信接続可能なアクセスポイントが存在するとき、ＣＰＵ２０２はこのアクセスポイントと通信接続を行う（ステップＳ１３０４）。例えば、無線ＬＡＮの役割が「副回線」であって、且つ接続履歴１２００においてＳＳＩＤが「ＡＰ０４」であるアクセスポイントがＭＦＰ１１と通信接続可能な位置に存在する場合、ＣＰＵ２０２はこのアクセスポイントと通信接続を行う。その後、ＣＰＵ２０２は本処理を終了する。
【００６３】
ステップＳ１３０３の判別の結果、接続履歴１２００の中に通信接続可能なアクセスポイントが存在しないとき、ＣＰＵ２０２はアクセスポイントの手動設定を促す通知を行い、本処理を終了する。
【００６４】
上述した実施の形態では、無線ＬＡＮの役割に対応付けされたアクセスポイントと通信接続が行われる。これにより、無線ＬＡＮの役割に対応する適切なアクセスポイントと確実に通信接続することができる。
【００６５】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００６６】
１１  ＭＦＰ
１２，１７  アクセスポイント
２０２  ＣＰＵ
２１１  操作パネル
３００  インタフェース選択画面
６０１  メッセージ
８００  アクセスポイント選択画面
１２００  接続履歴
【図１】
2019029689.tif 000003
【図２】
2019029689.tif 000004
【図３】
2019029689.tif 000005
【図４】
2019029689.tif 000006
【図５】
2019029689.tif 000007
【図６】
2019029689.tif 000008
【図７】
2019029689.tif 000009
【図８】
2019029689.tif 000010
【図９】
2019029689.tif 000011
【図１０】
2019029689.tif 000012
【図１１】
2019029689.tif 000013
【図１２】
2019029689.tif 000014
【図１３】
2019029689.tif 000015